(57)【要約】【課題】海底ケーブルが損傷されることを防止することができる海底ケーブル保護用マットレスブロックを提供する。【解決手段】本発明の海底ケーブル保護用マットレスブロックは、海底の底面に設置される海底ケーブルが損傷されるのを防ぐためにコンクリートで養成されたマットレスブロックであって、上部セル１１と下部セル１２が一体に形成され、上部セル１１は下部セル１２から格子型で突出する突出部１３を形成し、下部セル１２に段部１４が形成されるよう構成されたことを特徴とする。【選択図】図１
2007288991.tif 000002
【特許請求の範囲】
【請求項１】
海底の底面に設置される海底ケーブルが損傷するのを防ぐためにコンクリートで養成されたマットレスブロック（１０）は、上部セル（１１）と下部セル（１２）が一体に形成され、前記上部セル（１１）は下部セル（１２）から格子型で突出する突出部（１３）を形成し、下部セル（１２）に段部（１４）が成されるよう構成されたものを特徴とする海底ケーブル保護用マットレスブロック。
【請求項２】
前記上部セル（１１）の四方の中央に凹部（１０１）を形成し、前記凹部（１０１）には繋ぎ部（１０２）が一体で形成され、締結具（２０）によってマットレスブロック（１０）が四方に連結されたマットレス（１００）を構成したことを特徴とする、請求項１に記載の海底ケーブル保護用マットレスブロック。
【発明の詳細な説明】
【技術分野】
【０００１】
本発明は、海底ケーブル保護用マットレスブロック（Mattress block）に関するもので、特に大陸と大陸、陸地と島のように海を挟んで隔離された二つの地点の通信のために海底に敷設されるケーブルが、漁業活動が活発な地域において船舶の錨や沿岸の漁場を形成するために海底面に敷設される漁具などによって損傷されるので、これを防ぐために海底ケーブルが設置される上部にマットレスブロックが連結されたマットレスを設置し、海底ケーブルの損傷を防止するためのものである。
【背景技術】
【０００２】
一般的に海底面に設置される海底ケーブルの損傷を防止するためのマットレスについて説明すると、まず海底面にケーブルを設置し、その上部に空のマットを安着させ、マットに形成したコンクリート注入孔を通じ、コンクリートを注入してできたマットレスをケーブルの上部に掛けて保護する方法があったが、これは施工方法が複雑であり施工費が高いという問題点があった（特許文献１参照）。
【０００３】
また、図５に表したとおり、地上で予め製作した長方形に形成された枕木型のコンクリートセル３０を互いに連結してマットレス３００を構成した後、海底ケーブル４０の上部面に掛けて海底ケーブル４０が損傷されるのを防止し、施工費を節約する方法があった。
【特許文献１】特開平７−２２２３３８（第８図）
【発明の開示】
【発明が解決しようとする課題】
【０００４】
しかし、上記のように、コンクリートを直接投入したマットレスは、一体型でマットの内部にコンクリートを入れて形成された構造であり、沿岸で漁業活動のために設置した各種の漁具がマットレスを貫いて海底ケーブルに接触し、海底ケーブルを損傷させる恐れがある。また、枕木型のコンクリートセル３０の場合、セル３０とセル３０との間に漁具が投入されるとケーブルに直接接触して、ケーブルが損傷するという問題点があった。
【０００５】
本発明は、上記のような問題点を解決するために創出したもので、海底ケーブルが損傷するのを防止するために、海底ケーブルの上部面に掛けて、船舶の錨や各種の漁具から保護するためにコンクリートで養成されたマットレスブロックとブロックを連結した連結部位に空間が形成されないよう連結部位を段部に結合し連結させ、錨や漁具がマットレスの連結部位であるコンクリートブロックとブロックの間に投入されてもマットレスブロックに形成された段部に当たるようにしてケーブルを保護するものである。
【課題を解決するための手段】
【０００６】
上記の本発明の構成を添付された図面により具体的に説明すると次のようなものである。
【０００７】
本発明は、海底の底面に設置される海底ケーブル（４０）が損傷するのを防ぐためにコンクリートで養成されたマットレスブロック（１０）は、上部セル（１１）と下部セル（１２）が一体に形成され、上記上部セル（１１）は下部セル（１２）から格子型で突出する突出部（１３）を形成し、下部セル（１２）に段部（１４）が形成されるよう構成されたことを特徴とする海底ケーブル保護用マットレスブロックを提供するものである。
【０００８】
また、本発明は、上記上部セル（１１）の四方の中央に凹部（１０１）を形成し、上記凹部（１０１）には繋ぎ部（１０２）が一体で形成され、締結具（２０）によってマットレスブロック（１０）が四方に連結されたマットレス（１００）を構成されたものを特徴とする海底ケーブル保護用マットレスブロックを提供するものである。
【発明を実施するための最良の形態】
【０００９】
上記のように構成された本発明の作用効果をより具体的に説明すると次のようなものである。
【００１０】
図１は、海底に設置される海底ケーブルを保護するためのマットレスブロックを表した斜視図であり、図２は、正面図であり、図３は、平面図である。
【００１１】
上記のような本発明のマットレスブロック１０はコンクリートで養成された四角形の構造で、上部セル１１と下部セル１２が一体に形成される。この際、上部セル１１は下部セル１２の上部に形成され、下部セル１２から対角線の方向に進ませた状態、すなわち、格子型で突出した状態で構成される。すなわち、上記上部セル１１が格子型で突出して形成された突出部１３を形成すると、下部セル１２には格子型の段部１４が形成される。また、上記上部セル１１の四方には凹部１０１を形成し、凹部１０１の内部には繋ぎ部１０２を一体で形成している。
【００１２】
上記のように構成されるマットレスブロック１０は、コンクリートで養成されるので、引張り力に耐えるために内部に鉄筋が形成される。
【００１３】
このように本発明のコンクリートで養成されたマットレスブロック１０とブロック１０を連結するために、図４に表したように、マットレスブロック１０の上部セル１１の凹部１０１に形成した繋ぎ部１０２と繋ぎ部１０２に締結具２０を連結してマットレス１００を構成する。
【００１４】
この際、繋ぎ部１０２と繋ぎ部１０２には締結具２０が連結されるが、マットレスブロック１０の上部セル１１に形成した突出部１３は連結されるマットレスブロック１０の下部セル１２を形成する格子型の段部１４に安着できるよう連結される。
【００１５】
すなわち、マットレスブロック１０の上部セル１１に形成した格子型の突出部１３は他のマットレスブロック１０の下部セル１２に形成した格子型の段部１４に安着され、連結され一つのマットレスを構成する。
【００１６】
上記のように成された本発明のマットレス１００を海底の底面に設置する海底ケーブル４０の上部に掛けて保護すると、船舶の錨や各種の漁場で使用する漁具が海底に設置される時に、海底ケーブルに掛けられているマットレスブロック１０とブロック１０が連結される上部セル１１の間を通過しても下部セル１２の段部１４に当たるので海底ケーブルに直接的に接触せず、海底ケーブルの損傷を防止することができる。
【００１７】
以上のように本発明は、海底面に設置される海底ケーブルを保護するために成されたマットレスブロックの連結部位を段部に連結し、連結部位に船舶の錨や各種の漁場で使用する漁具が通過してもマットレスブロックの下部セルに形成される段部によって保護され、海底ケーブルの損傷を防止することで、再施工費の節約の効果がある。
【産業上の利用可能性】
【００１８】
本発明は、海底ケーブルが損傷されるのを防止する効果を有し、海底ケーブル保護用マットレスブロックとして有用である。
【図面の簡単な説明】
【００１９】
【図１】本発明の海底ケーブルを保護するためのマットレスブロックを表した斜視図である。
【図２】本発明の海底ケーブルを保護するためのマットレスブロックを表した正面図である。
【図３】本発明の海底ケーブルを保護するためのマットレスブロックを表した平面図である。
【図４】本発明のマットレスブロックとマットレスブロックの四方に形成した繋ぎ部を締結具に連結して成すマットレスを表した断面図である。
【図５】従来のマットレスブロックを表した斜視図である。
【符号の説明】
【００２０】
１０．マットレスブロック
１１．上部セル
１２．下部セル
１３．突出部
１４．段部
２０．締結部
３０．コンクリートセル
４０．海底ケーブル
１００．マットレス
１０１．凹部
１０２．繋ぎ部
【図１】
2007288991.tif 000003
【図２】
2007288991.tif 000004
【図３】
2007288991.tif 000005
【図４】
2007288991.tif 000006
【図５】
2007288991.tif 000007